(57)【要約】【課題】小屋裏空間の熱気を効率的に外部へ排熱して小屋裏空間の温度上昇を抑制し、下階の冷房効率の向上を図り、省エネルギー化を図ることができる建物の小屋裏構造を提供することにある。【解決手段】建物の外壁材の内側に壁断熱材２１及び傾斜した屋根材の内側に屋根断熱材２６を設け、前記屋根断熱材２６の小屋裏空間３０を設けた建物の小屋裏空間構造において、前記屋根断熱材２６の内側の前記小屋裏空間３０に間隔を存して通気路構成部材４０を設けたことを特徴とする。【選択図】　　　　　図１
2004052249.tif 000002
【特許請求の範囲】
【請求項１】
建物の外壁材の内側に壁断熱材及び傾斜した屋根材の内側に屋根断熱材を設け、前記屋根断熱材の内側に小屋裏空間を設けた建物の小屋裏構造において、
前記屋根断熱材の内側に該屋根断熱材と間隔を存して通気路構成部材を設けたことを特徴とする建物の小屋裏構造。
【請求項２】
前記屋根断熱材と通気路構成部材との間隔は、上方が狭く、下方が広く構成されていることを特徴とする請求項１記載の建物の小屋裏構造。
【請求項３】
前記通気路構成部材の上部には、該通気路構成部材の表裏を連通する開口部が設けられていることを特徴とする請求項１または２記載の建物の小屋裏構造。
【請求項４】
前記通気路構成部材で仕切られた小屋裏空間は、前記屋根断熱材を貫通して外気と連通する連通孔を有していることを特徴とする請求項１〜３のいずれかに記載の建物の小屋裏構造。
【請求項５】
前記通気路構成部材は、熱反射性材料で形成されていることを特徴とする請求項１〜４記載の建物の小屋裏構造。
【請求項６】
前記連通孔には、排気ファンが設けられていることを特徴とする請求項４記載の建物の小屋裏構造。
【請求項７】
前記連通孔は、屋根に設けられた天窓であることを特徴とする請求項４記載の建物の小屋裏構造。
【発明の詳細な説明】
【０００１】
【発明の属する技術分野】
この発明は、居住性を高めると同時に、冷暖房システムの負担を軽減し、省エネルギー化を図ることができる建物の小屋裏構造に関する。
【０００２】
【従来の技術】
木造または鉄骨木造の建物において、快適な居住空間を構成するとともに、冷暖房システムの負担を軽減し、省エネルギー化を図るために、建物の断熱躯体構造、壁材や屋根材等の断熱建材あるいは二重ガラス窓構造などの改良がなされ、気密性及び断熱性を高めている。
【０００３】
冷房システムの負担は、室内の気密性及び断熱性を高めることである程度軽減できるが、壁、床、天井から熱伝導で伝わる熱量、窓ガラスからの熱伝導で伝わる熱量、窓ガラスからの侵入する太陽からの放射熱、さらに自然換気による熱量等の室内侵入熱量からなる。
【０００４】
また、特に小屋裏空間は、周囲が断熱屋根材であっても強い陽射しを長時間受ける屋根面からの熱伝導で伝わる熱量が多く、また下階からの暖められた空気の上昇により小屋裏空間の温度が上昇する。小屋裏空間の温度が上昇すると、屋根の野地板が合板の場合、接着剤等の化学物質が放散し、刺激臭が発生し、特に小屋裏空間を最上階居室とした場合、刺激臭によって不快を感じる。
【０００５】
また、例えば、特開平１０−４６６９４号公報に示すように、壁内から小屋裏を通じて外部に換気する断熱建物においては、屋根面からの熱と下階からの暖められた空気が小屋裏空間に拡散してしまい、小屋裏空間から外部への排熱のための温度差が取り難く、排熱がスムーズに行われないという問題がある。
【０００６】
そこで、例えば、特開平６−２４０７７３号公報に示すように、建物の屋根裏に設置される下地材の下面に間隔を存して通気路形成部材を設け、小屋裏空間の空気に外気を通気路形成部材によって棟側に導き、棟部から排気するようにしたものが知られている。
【０００７】
【発明が解決しようとする課題】
しかしながら、特開平６−２４０７７３号公報のものは、小屋裏空間の空気を通気路形成部材によって棟側に導き、換気するようになっているが、建物の屋根は瓦下地材に屋根瓦を葺いた通常の屋根構造であって、断熱屋根材ではない。従って、屋根材から熱伝導で伝わる熱量によって小屋裏空間の温度が上昇し、この小屋裏空間の熱量が下階の室内侵入熱量となる。
【０００８】
従って、下階の居住空間にエアコンを設置し、居住空間を冷房しても、室内侵入熱量によって冷房効率が低下するという問題がある。
【０００９】
この発明は、前記事情に着目してなされたもので、その目的とするところは、小屋裏空間の熱気を効率的に外部へ排熱して小屋裏空間の温度上昇を抑制し、下階の冷房効率の向上を図り、省エネルギー化を図ることができる建物の小屋裏構造を提供することにある。
【００１０】
【課題を解決するための手段】
この発明は、前記目的を達成するために、請求項１は、建物の外壁材の内側に壁断熱材及び傾斜した屋根材の内側に屋根断熱材を設け、前記屋根断熱材の内側に小屋裏空間を設けた建物の小屋裏構造において、前記屋根断熱材の内側に該屋根断熱材と間隔を存して通気路構成部材を設けたことを特徴とする。
【００１１】
請求項２は、請求項１の前記屋根断熱材と通気路構成部材との間隔は、上方が狭く、下方が広く構成されていることを特徴とする。
【００１２】
請求項３は、請求項１または２の前記通気路構成部材の上部には、該通気路構成部材の表裏を連通する開口部が設けられていることを特徴とする。
【００１３】
請求項４は、請求項１〜３のいずれかの前記通気路構成部材で仕切られた小屋裏空間は、前記屋根断熱材を貫通して外気と連通する連通孔を有していることを特徴とする。
【００１４】
請求項５は、請求項１〜４のいずれかの前記通気路構成部材は、熱反射性材料で形成されていることを特徴とする。
【００１５】
請求項６は、請求項４の前記連通孔には、排気ファンが設けられていることを特徴とする。
【００１６】
請求項７は、請求項４の前記連通孔は、屋根に設けられた天窓であることを特徴とする。
【００１７】
前記構成によれば、屋根断熱材の内側に間隔を存して通気路構成部材が設けられているため、内側通気路を上昇した温められた空気及び屋根材から熱伝導で伝わる熱は通気路を介して外部に排気される。このとき、小屋裏空間の空気も合わせて通気路から外部に排気される。
【００１８】
【発明の実施の形態】
以下、この発明の実施の形態を図面に基づいて説明する。
【００１９】
図１及び図２は第１の実施形態を示し、図１は建物の概略的縦断側面図、図２は図１のＡ部を拡大して示す縦断側面図である。
【００２０】
図１に示すように、木造または鉄骨木造の建物の躯体１１は、基礎地盤１２に直接コンクリートを打設したベタ基礎１３を含む基礎コンクリート１４と、この基礎コンクリート１４の上部に建物外装体１５とから構成されている。建物外装体１５は、例えば、壁構造１６と屋根構造１７によって構成され、基礎コンクリート１４と壁構造１６及び屋根構造１７によって囲まれた躯体内空間１８が構成されている。基礎コンクリート１４には複数個の通気口１４が設けられ、この通気口１４ａには開閉可能なダンパー１４ｂが設けられている。
【００２１】
壁構造１６は、外壁材１９と、この外壁材１９の内側に外側通気路２０を介して設けられた発泡樹脂、グラスウール等の断熱壁材２１とからなり、この断熱壁材２１の内側には居住室２２を構成する内装体２３が設けられている。この内装体２３と断熱壁材２１との間には内側通気路２４が設けられている。壁構造１６に外側通気路２０を設けることによって外気は入口２０ａから侵入して外側通気路２０を上昇するようになっている。また、基礎コンクリート１４の通気口１４ａから侵入した外気は内側通気路２４を上昇して小屋裏空間３０に向かって上昇するようになっている。
【００２２】
屋根構造１７は、図２に示すように、垂木（図示しない）に対して合板等の下地材２５を介して設けた発泡樹脂、グラスウール等の断熱屋根材２６と、この断熱屋根材２６の外側に屋根通気路２７を介して設けられた野地板２８と、この野地板２８上に葺かれた屋根材２９とから構成されている。そして、屋根通気路２７は前記壁構造１６の外側通気路２０と連通し、外側通気路２０を上昇した空気が屋根構造１７の屋根通気路２７を介して棟側に向かって上昇するようになっている。
【００２３】
内装体２３は、合板、石膏ボードあるいは合成樹脂パネル等の内装下地材３１によって床３２、壁３３及び天井３４が構成されている。そして、床３２にはフローリング材３５が敷設され、壁３３及び天井３４には内装材３６が貼り付けられている。
【００２４】
さらに、前記小屋裏空間３０の断熱屋根材２６の下地材２５の内側には間隔を介して通気路構成部材４０が設けられている。この通気路構成部材４０は、熱反射材料、例えばアルミニウム箔を貼着したボードであって、垂木に対して固定することにより間隔Ｗが保たれ、屋根の軒側から棟側に向かって通気路４１を構成している。なお、間隔Ｗは、垂木の太さに応じて決定され、通常は４５ｍｍ〜１４０ｍｍ程度である。
【００２５】
通気路構成部材４０は断熱屋根の全面に設けなくてもよい。例えば、勾配のきつい屋根、太陽熱が多く当たらない面等においては設ける必要はない。
【００２６】
通気路４１の下端開口４１ａは小屋裏空間３０の下層に連通し、上端は小屋裏空間３０の棟部４２の近傍まで延長している。そして、棟部４２の近傍には外部に連通する連通孔４３が設けられ、この連通路４３には排気ファン４４が設けられている。連通孔４３は壁構造１６を構成する外壁材１９及び断熱壁材２１を貫通する貫通口でもよく、小屋裏換気口あるいは棟部４２に設けられた天窓を利用してもよい。
【００２７】
次に、第１の実施形態の作用について説明する。
【００２８】
外気は壁構造１６に設けられた外側通気路２０の入口２０ａから侵入して屋根構造１７に向かって上昇する。また、通気口１４ａのダンパー１４ｂを開放するとともに排気ファン４４を駆動すると、外気は通気口１４ａから内装体２３の床下に侵入し、床下から内側通気路２４を上昇して小屋裏空間３０に向かう。
【００２９】
屋根構造１７には外側通気路２０と連通する屋根通気路２７が設けられているため、空気は屋根通気路２７を介して棟部４２から外部に排気される。また、小屋裏空間３０には屋根の傾斜に沿って軒側から棟側に向かって通気路４１を有する通気路構成部材４０が設けられているため、内側通気路２４を上昇した空気は通気路４１を介して連通孔４３から排気ファン４４によって強制的に外部に排気される。
【００３０】
このとき、内側通気路２４を上昇した温められた空気及び屋根材２９から熱伝導で伝わる熱は通気路４１を介して外部に排気される。このとき、小屋裏空間３０の空気も合わせて通気路４１から外部に排気ファン４４によって強制的に排気される。
【００３１】
また、通気路構成部材４０は熱反射材料によって形成されているため、屋根材２９から熱伝導で伝わる熱量で温度上昇した下地材２５からの放射熱を遮断する効果があり、従って、下地材２５の接着剤等の化学物質から放散する刺激臭を強制的に外部に排気することができる。また、小屋裏空間３０の温度上昇を抑制することにより、下階の居住室２２の冷房負荷を低減でき、冷房効率の向上によって省エネルギー化を図ることができ、また、より温度が高くなる上方での通気風速を速くして屋根からの伝熱の除去を効率よくする。
【００３２】
図３は第２の実施形態を示し、第１の実施形態と同一構成部分は同一番号を付して説明を省略する。
【００３３】
本実施形態は、通気路４１を形成する通気路構成部材４０の間隔Ｗを、上方が狭く、下方が広くなるように通気路構成部材４０を斜めに固定したものである。このように構成することによって空気を下端開口４１ａから吸い込みやすく、通気効率の向上を図ることができる。
【００３４】
図４は第３の実施形態を示し、第１の実施形態と同一構成部分は同一番号を付して説明を省略する。
【００３５】
本実施形態は、通気路４１を形成する通気路構成部材４０を屋根構造１７の形状に倣って略山形形状に形成し、この山形形状の頂部４０ａの上方に排気ファン４４を有する連通孔４３を設けたものである。
【００３６】
このように構成することによって、小屋裏空間３０の下層の空気を通気路４１の下端開口４１ａから吸い込んで排気することができる。
【００３７】
図５は第４の実施形態を示し、第１の実施形態と同一構成部分は同一番号を付して説明を省略する。
【００３８】
本実施形態は、通気路４１を形成する通気路構成部材４０の上部、すなわち排気ファン４４の近傍に通気路構成部材４０の表裏を連通する開口部４５を設けたものである。このように構成することによって、小屋裏空間３０の上層の空気を開口部４５から通気路４１に吸い込んで排気することができる。
【００３９】
図６は第５の実施形態を示し、第１の実施形態と同一構成部分は同一番号を付して説明を省略する。
【００４０】
本実施形態は、内装体２３と通気路構成部材４０とを一体的に連結したものである。このように構成することによって、内側通気路２４を上昇する空気が通気路４１にスムーズに流れて排気されるとともに、内装体２３が通気路構成部材４１の固定部材を兼ねることができる。
【００４１】
また、前記各実施形態においては、通気路構成部材４０を１枚設けたが、直射日光が当たる側を複数枚とし、複数層の通気路としてもよい。
【００４２】
【発明の効果】
以上説明したように、この発明によれば、屋根断熱材の内側に間隔を存して通気路構成部材を設けることにより、内側通気路を上昇した温められた空気及び屋根材から熱伝導で伝わる熱は通気路を介して外部に排気される。このとき、小屋裏空間の空気も合わせて通気路から外部に排気される。小屋裏空間の熱気を効率的に外部へ排熱して小屋裏空間の温度上昇を抑制し、下階の冷房効率の向上を図り、省エネルギー化を図ることができる。
【図面の簡単な説明】
【図１】この発明の第１の実施形態を示す建物の概略的縦断側面図。
【図２】同実施形態を示し、図１のＡ部を拡大した縦断側面図。
【図３】この発明の第２の実施形態の通気路構成部材を示す縦断側面図。
【図４】この発明の第３の実施形態の通気路構成部材を示す縦断側面図。
【図５】この発明の第４の実施形態の通気路構成部材を示す縦断側面図。
【図６】この発明の第５の実施形態の通気路構成部材を示す縦断側面図。
【符号の説明】
１１…躯体
１４…基礎コンクリート
１５…壁構造
１７…屋根構造
２１…壁断熱材
２６…断熱屋根材
３０…小屋裏空間
４０…通気路構成部材
【図１】
2004052249.tif 000003
【図２】
2004052249.tif 000004
【図３】
2004052249.tif 000005
【図４】
2004052249.tif 000006
【図５】
2004052249.tif 000007
【図６】
2004052249.tif 000008